(57)【要約】【課題】スライドスタック時に下段コンテナと上段コンテナとの間で細かな位置決めを必要とせず、比較的良好な作業性を確保しながら円滑且つ確実にスライドスタックを行うことが可能なコンテナを提供する。【解決手段】コンテナを構成する長辺側側板１の上端部には、水平なガイド面１１が設けられている。コンテナの底板３の下側には、コンテナ段積み時の下段コンテナの四側板が取り囲む内側領域に進入配置可能な中央底部３３と、長辺側側板１のほぼ真下に位置し且つその側板１の延設方向に延びる脚部３５とが突設されている。その脚部３５の底板隅部寄り先端域には、所定の傾斜角θ１だけ傾斜すると共にスライド操作時に当該コンテナを載せる下段コンテナの長辺側側板１の水平ガイド面１１に当接可能な傾斜部４０が形成されている。傾斜角θ１は、好ましくは２°〜２５°に設定される。【選択図】      図５
2005022749.tif 000002
【特許請求の範囲】
【請求項１】
平面矩形状の底板、その底板の相対向する二辺に対応した二つの第１側板及び前記底板の残りの相対向する二辺に対応した二つの第２側板を具備してなるスライドスタック可能なコンテナであって、
前記第１側板の上端部には、該側板の長手方向に延びる水平なガイド面が設けられ、
前記第２側板の上端部には、前記第１側板の水平ガイド面よりも上方に突出した保持突部が設けられ、
前記底板の下側には、少なくとも四隅部に形成された水平な下側面と、その下側面よりも下方に突出すると共にコンテナの段積み時に前記四つの側板が取り囲む内側領域に進入配置可能な中央底部と、前記下側面よりも下方に突出すると共に前記第１側板のほぼ真下に位置し且つその第１側板の延設方向に延びる脚部とが設けられ、
前記脚部の底板隅部寄り先端域には、水平面に対し所定の傾斜角（θ１）だけ傾斜すると共にスライド操作時に当該コンテナを載せる下段コンテナの第１側板の水平ガイド面に当接可能な傾斜部が形成されていることを特徴とするコンテナ。
【請求項２】
前記所定の傾斜角（θ１）は、２°以上２５°以下の範囲に設定されていることを特徴とする請求項１に記載のコンテナ。
【発明の詳細な説明】
【技術分野】
【０００１】
本発明は、スライドスタック可能なコンテナ（物品収納容器）に関する。
【背景技術】
【０００２】
一般にプラスチック製コンテナは、平面矩形状の底板、その底板の二つの短辺に対応した二つの短辺側側板および前記底板の二つの長辺に対応した二つの長辺側側板を具備し、蓋無しタイプでは上面が開口している。かかるコンテナにはスライドスタック可能なタイプがある。「スライドスタック」とは、下段コンテナの上に上段コンテナを積み上げる際に、上段コンテナに下段コンテナの上端部をその一辺から対向辺に向けて滑らせながら移動させた後、上下コンテナの四隅が垂直方向に一致した状態で積み上げを完了する操作をいう。スライドスタック可能であれば、例えば人の身長を超えるような高さにまでコンテナを多段積みする際の利便性が向上する。スライドスタックの具体的手順は例えば次の通りである。先ず、上段コンテナの底板の一短辺の下面側両端部をそれぞれ、下段コンテナの二つの長辺側側板の各上端部の長手方向中程に接触させると共に、上段コンテナの底板のもう一方の短辺が尻上がり状態となるように当該上段コンテナを傾斜させた状態で下段コンテナの上に仮載せする。その仮載せ状態から、前記上段コンテナの底板の一短辺の下面側両端部に、下段コンテナの二つの長辺側側板の各上端部をその長手方向に沿って滑らせ、上下コンテナの四隅を一致させる。
【０００３】
特許文献１は、各側板が底板に対して折り畳み可能な折り畳みコンテナにおいて、スライドスタック時、下段コンテナの被スライド側板（つまり長辺側側板）を外方向に倒そうとする力が作用して二つの長辺側側板間の距離が広がり、上段折り畳みコンテナが下段折り畳みコンテナ内に落ち込むという事態を防止することを目的の一つとする（特許文献１第０００６段落）。そのために特許文献１では、長辺側側板の各上端部にレール突部を突設すると共に、底板の下面側には中央底部と各脚部との間においてレール溝を形成している。そして、スライドスタック時には、上段折り畳みコンテナの底板の各レール溝を下段折り畳みコンテナの各長辺側側板のレール突部に嵌め込んだ状態で上段コンテナをスライドさせることで、下段コンテナの側板の倒れを防止しつつ上段コンテナのスライドスタックを可能ならしめている。
【０００４】
しかしながら、特許文献１のスライド構造にもいくつかの欠点がある。第１に、スライドスタック時には、上段コンテナ底板の幅狭なレール溝を下段コンテナ長辺側側板の肉薄なレール突部に正しく嵌め込むという細かな位置決めが必要であり、作業性が必ずしもよくない。第２に、作業性向上のために各側板上端部のレール突部の突出高を高くすることも考えられるが、そうすると肉薄なレール突部が破損し易くなる。
【０００５】
【特許文献１】特開２００１−３３５０２９号公報
【発明の開示】
【発明が解決しようとする課題】
【０００６】
本発明の目的は、スライドスタック時に下段コンテナと上段コンテナとの間で細かな位置決めを必要とせず、比較的良好な作業性を確保しながら円滑且つ確実にスライドスタックを行うことが可能なコンテナを提供することにある。また、スライドスタックのための構造が破損し難いコンテナを提供することにある。
【課題を解決するための手段】
【０００７】
本発明は、平面矩形状の底板、その底板の相対向する二辺に対応した二つの第１側板及び前記底板の残りの相対向する二辺に対応した二つの第２側板を具備してなるスライドスタック可能なコンテナであって、前記第１側板の上端部には、該側板の長手方向に延びる水平なガイド面が設けられ、前記第２側板の上端部には、前記第１側板の水平ガイド面よりも上方に突出した保持突部が設けられ、前記底板の下側には、少なくとも四隅部に形成された水平な下側面と、その下側面よりも下方に突出すると共にコンテナの段積み時に前記四つの側板が取り囲む内側領域に進入配置可能な中央底部と、前記下側面よりも下方に突出すると共に前記第１側板のほぼ真下に位置し且つその第１側板の延設方向に延びる脚部とが設けられ、前記脚部の底板隅部寄り先端域には、水平面に対し所定の傾斜角（θ１）だけ傾斜すると共にスライド操作時に当該コンテナを載せる下段コンテナの第１側板の水平ガイド面に当接可能な傾斜部が形成されていることを特徴とするものである。
【０００８】
このスライドスタック可能なコンテナにあって、前記所定の傾斜角（θ１）は、２°以上２５°以下の範囲に設定されていることは好ましい。
【０００９】
（作用等）
本発明のコンテナによれば、下段コンテナの第２側板の一方から他方に向けて第１側板の水平ガイド面上を滑らせながら上段コンテナをスライドスタックすることができる。その場合には先ず、下段コンテナの各第１側板の水平ガイド面の長手方向中程に上段コンテナの底板の脚部の傾斜部を当接させると共に、例えば下段コンテナの第２側板の一方の保持突部上に上段コンテナの底板の中央突部を載せることで、上段コンテナの一方の第２側板側が尻上がりとなり且つ他方の第２側板側（スライド時進行方向前側）が前下がりとなるような前傾姿勢状態で、上段コンテナを下段コンテナの上に仮載せする（図５参照）。この仮載せ状態では、通常は水平面に対し所定の傾斜角（θ１）だけ傾斜している脚部傾斜部が下段コンテナの第１側板水平ガイド面に接触するまで、上段コンテナが深い前傾姿勢をとる。それ故、脚部が前記傾斜部を事実上持たない場合に比べて、上段コンテナの底板の中央底部のスライド時進行方向前側は、両第１側板間の内側領域にその水平ガイド面よりも下に深々と進入できる。つまり、下段コンテナの第１側板と、上段コンテナの底板中央底部のスライド時進行方向前側部分との重なり代又は嵌合深さ（図５に示すｄ１）が大きくなり、下段コンテナの二つの第１側板間における上段コンテナの底板中央底部前側の挟み込みが確実となる。従って、仮載せ時及びスライド開始時において、上段コンテナがスライド時進行方向（即ち第１側板の延設方向）に対し横ズレを起こしたり、下段コンテナの第１側板上から脱落したりすることが確実に防止される。
【００１０】
なお、前記所定の傾斜角（θ１）が２°未満になると、傾斜部が限りなく水平に近づく結果となり、仮載せ時に下段コンテナの第１側板と上段コンテナの底板中央底部のスライド時進行方向前側部分との重なり代又は嵌合深さを大きく確保すべく、脚部に傾斜部を設けて上段コンテナに深い前傾姿勢をとらせるとの趣旨が没却される。他方、前記所定の傾斜角（θ１）が２５°を超えると、一般的なコンテナでは底板の水平下側面と脚部の下端部との高低差設定の自由度が小さいこともあって、脚部の延設方向における傾斜部の長さ又は範囲が短くなり過ぎてしまい、却って仮載せ時に、上段コンテナの脚部傾斜部が下段コンテナの第１側板水平ガイド面に当接するほど上段コンテナが深い前傾姿勢をとり得なくなる虞れがある（後記比較例を参照されたし）。
【００１１】
（付記）本発明の更に好ましい態様や追加的構成要件を以下に列挙する。
イ．「前記底板の脚部には前記傾斜部以外に水平下端部が形成されており、スライドスタック完了後のコンテナ段積み時には、上段コンテナの底板の脚部の前記水平下端部が下段コンテナの第１側板の水平ガイド面に接触すると共に、上段コンテナの底板の隅部の下側面が下段コンテナの第２側板の保持突部に接触することで、上段コンテナの荷重が下段コンテナによって支持されること」は好ましい。この場合には、上段コンテナの底板脚部の水平下端部及び底板隅部の下側面が荷重伝達部として機能すると共に、下段コンテナの第１側板水平ガイド面及び第２側板保持突部が荷重支持部として機能するため、四つの側板が上段コンテナから下段コンテナへの荷重伝達に等しく貢献できる。
【発明の効果】
【００１２】
本発明のスライドスタック可能なコンテナによれば、上述のようにスライドスタック開始時に下段コンテナの上に上段コンテナを前傾姿勢状態で仮載せするだけで、上段コンテナの底板中央底部前側が下段コンテナの二つの第１側板間に確実に挟み込まれ、上段コンテナがスライド時にその進行方向に対して横ズレを起こし難い。このため、下段コンテナと上段コンテナとの間で細かな位置決めを必要とせず、比較的良好な作業性を確保しながら、円滑且つ確実にスライドスタックを行うことができる。また本発明では、肉薄なレール部のような脆弱な構造を採用していないため、スライドスタックのための構造が破損し難いという長所がある。
【発明を実施するための最良の形態】
【００１３】
本発明を折り畳みコンテナに具体化した一実施形態を図面を参照しつつ説明する。図１〜図４は折り畳みコンテナを組み立てた状態を示す。各図に示すように、折り畳みコンテナは、平面矩形状の底板３と、その底板３の相対向する二つの長辺に対応した二つの第１側板としての長辺側側板１と、底板３の相対向する二つの短辺に対応した二つの第２側板としての短辺側側板２とを備えている。これらのコンテナ構成部材（１〜３）はそれぞれ合成樹脂等のプラスチックで作られている。
【００１４】
長辺側側板１及び短辺側側板２の各々は、それぞれの下端部において底板３に対し回動可能に取り付けられており、各側板１，２を底板３に対して垂直に起立させることでコンテナが組み立てられる。コンテナ組み立て時には、各側板１，２の起立状態を保持するためのロック機構（公知ゆえ詳細説明は省略）が働き、そのロックを解除しない限り各側板１，２の起立状態が保たれる。尚、ロック解除状態で、最初に各短辺側側板２を底板３の上に倒し（図３の手順１）、その後に各長辺側側板１を倒置済みの短辺側側板２の上に重ねるように倒す（図３の手順２）ことにより、コンテナが折り畳まれる。
【００１５】
図１〜図３に示すように、二つの長辺側側板１はそれぞれ底板３の各長辺に沿って延設されている。長辺側側板１の各々の上端部には、その側板の長手方向に延びる水平なガイド面１１が設けられている。この水平ガイド面１１は、スライドスタック時にはガイドレール面として機能し、段積み時には荷重支持面としての役目を担う。その水平ガイド面１１の長手方向両端部にはそれぞれ、水平ガイド面１１よりも上方に突出すると共に平面視略Ｌ字形状をなす長辺側保持突部１２が設けられている。
【００１６】
図１及び図３に示すように、二つの短辺側側板２はそれぞれ底板３の各短辺に沿って延設されている。短辺側側板２の各々の上端部には、その側板の長手方向に延びる水平載置面２１が設けられている。この水平載置面２１は、段積み時には荷重支持面としての役目を担う。その水平載置面２１の長手方向両端部にはそれぞれ、水平載置面２１よりも上方に突出した短辺側保持突部２２が設けられている。
【００１７】
なお、長辺側側板１の水平ガイド面１１と短辺側側板２の水平載置面２１とは同じ高さに設定され、長辺側保持突部１２と短辺側保持突部２２も同じ高さに設定されている。従って、短辺側保持突部２２は長辺側側板の水平ガイド面１１よりも上方に突出している。コンテナの組み立て時、長辺側保持突部１２及び短辺側保持突部２２は共同して、長辺側側板１と短辺側側板２との連結境界（隅部）の上端部に一つの平面視略Ｌ字状の保持突部（１２，２２）を構築する（図３参照）。
【００１８】
図１、図２及び図４に示すように、底板３は平面矩形状をなすと共に、その矩形状の四辺に対応した四つの垂直側面３１を有し所定の高さを持つ。隣り合う垂直側壁３１の連結部には都合四つの隅部が区画形成される。底板３の下側には少なくとも四つの隅部の各々において、水平な下側面３２が形成されている。また、底板３の下側には、前記水平な下側面３２よりも下方に突出する中央底部３３が設けられている。この中央底部３３は、前記各垂直側面３１から所定距離（具体的には各側板１，２の板厚以上の距離）だけ内側に奥まった位置に設けられ、コンテナの段積み時には前記四つの側板１，２が取り囲む内側領域に進入配置可能となっている。この中央底部３３自体も四つの隅部を持つ。
【００１９】
更に、底板３の下側には、前記中央底部３３の周辺であってその中央底部３３の各辺と前記各垂直側面３１との間の位置において、前記水平な下側面３２よりも下方に突出した脚部が複数設けられている。脚部は短辺側脚部３４と長辺側脚部３５とに分かれる。短辺側脚部３４は、各短辺側側板２のほぼ真下位置に設けられ、短辺側側板２の延設方向と同じ短辺方向に延びている。底板３の下面側の各短辺にはそれぞれ二つの短辺側脚部が存在する。同様に、長辺側脚部３５は、各長辺側側板１のほぼ真下位置に設けられ、長辺側側板１の延設方向と同じ長辺方向に延びている。底板３の下面側の各長辺にはそれぞれ二つの長辺側脚部が存在する。
【００２０】
図２、図４及び図５（Ａ）に示すように、長辺側脚部３５の各々は、その脚部の底板隅部寄り先端域に形成された傾斜部４０と、その傾斜部４０よりも底板中心部寄り領域に形成された水平下端部４３とを備えている。水平下端部４３は、例えば水平リブ及びその水平リブに連なる補強リブその他の肉部からなる。傾斜部４０は、その傾斜部の中でも底板隅部寄り位置に設けられた傾斜面４１と、その傾斜面４１から後方に連続する傾斜リブ４２とから構成されている。一連の傾斜面４１及び傾斜リブ４２からなる傾斜部４０は、水平面（例えば、水平下端部４３、水平下側面３２あるいは側板の水平ガイド面１１等）に対して所定の傾斜角θ１だけ傾斜している。傾斜角θ１は２°〜２５°の範囲に設定されることが好ましく、図１〜図５のコンテナでは傾斜角θ１は５°に設定されている。尚、後述するように、傾斜部４０は、スライド操作時に当該コンテナを載せる下段コンテナの長辺側側板１の水平ガイド面１１に当接可能な部位である。
【００２１】
底板３にあっては、中央底部３３の底面３３ａ、短辺側脚部３４の底面３４ａおよび長辺側脚部３５の水平下端部４３はすべて、前記水平下側面３２から同じ高さ（つまり面一の関係）にあり、当該底板３における最底面（即ち地面に直置きする場合の接地面）を提供する。
【００２２】
さて、本実施形態の折り畳みコンテナによれば、全ての側板１，２を起立固定した組み立て状態において、下段コンテナ上に上段コンテナをスライドスタックによって段積みすることができる。その概略手順を図５（Ｂ）を参照して説明する。先ず最初に、下段コンテナの右側（スライド時進行方向後側）の短辺側側板２の保持突部２２の上に、上段コンテナの底板３の中央底部３３の左端（スライド時進行方向前側）を引っ掛けるようにして載せ、右から左に向けて上段コンテナをほぼ水平に押し出す。すると、上段コンテナの中央底部３３の中程が下段コンテナの右側の短辺側側板２の保持突部２２をほぼ通過したところで、上段コンテナの重心が保持突部２２よりも前方（左方）に移動し、上段コンテナの中央底部３３と下段コンテナの短辺側保持突部２２との接点を回動支点として、上段コンテナが前のめりに傾く。
【００２３】
すると、図５（Ｂ）に示すように、下段コンテナの右側の短辺側側板２の保持突部２２上に上段コンテナ底板３の中央突部３３が載った状態のまま、上段コンテナ底板の長辺側脚部３５の傾斜部４０が下段コンテナの長辺側側板１の水平ガイド面１１の長手方向中程に当接する。その結果、上段コンテナの右側（後側）が尻上がりとなり左側（即ちスライド時進行方向前側）が前下がりとなるような前傾姿勢状態で、上段コンテナが下段コンテナ上に仮載せされる。この仮載せ状態では、通常は水平面に対し傾斜角θ１だけ傾斜している脚部傾斜部４０が下段コンテナの長辺側側板１の水平ガイド面１１に接触するまで、上段コンテナが深い前傾姿勢をとるため、上段コンテナ底板の中央底部３３の左端（スライド時進行方向前側）は、二つの長辺側側板１間の内側領域にその水平ガイド面１１よりも下に深々と進入する。その際の下段コンテナの長辺側側板１と、上段コンテナの底板中央底部３３のスライド時進行方向前側部分との重なり代ｄ１は非常に大きくなる。ちなみに図１〜図５に示す形態のコンテナ試作品（組み立て時の寸法が長辺長６００ｍｍ×短辺長４００ｍｍ×高さ２００ｍｍ）では、前記重なり代ｄ１は約８ｍｍであった。
【００２４】
このように本実施形態によれば、底板３の各長辺側脚部３５の底板隅部寄り先端域に傾斜部４０を設けたことで、スライドスタック開始時の仮載せ状態において、下段コンテナの長辺側側板１と上段コンテナの底板中央底部３３のスライド時進行方向前側部分との重なり代ｄ１を非常に大きく確保できる。このため、下段コンテナの二つの長辺側側板１間における上段コンテナの底板中央底部３３前側の挟み込みが確実となり、仮載せ時及びスライド開始時において、上段コンテナがスライド時進行方向に対し横ズレを起こしたり、下段コンテナの長辺側側板１上から脱落したりすることがない。従って、下段コンテナの各長辺側側板１の水平ガイド面１１上を滑らせながら上段コンテナを下段コンテナの上に円滑、確実且つ容易にスライドスタックすることができる。
【００２５】
また、本実施形態によれば、下段コンテナの上に上段コンテナを前傾姿勢状態で仮載せするだけで、上段コンテナの底板中央底部３３前側が下段コンテナの二つの長辺側側板１間にごく自然に挟み込まれるため、従来のコンテナと異なり、下段コンテナと上段コンテナとの間で細かな位置決めを必要とせず、比較的良好な作業性を確保できる。更には、スライドスタックのための構造として肉薄なレール部のような脆弱な構造を採用していないため、コンテナが破損し難いという特長がある。
【００２６】
なお、スライドスタック完了後のコンテナ段積み状態では、上段コンテナの底板の各長辺側脚部３５の水平下端部４３が下段コンテナの長辺側側板１の水平ガイド面１１に接触し、上段コンテナの底板の各短辺側脚部３４が下段コンテナの短辺側側板２の水平載置面２１に接触し、更に上段コンテナの底板の各隅部の水平下側面３２が各側板１，２の連結境界（隅部）の上端部に位置する保持突部（１２，２２）の上面に接触することにより、上下コンテナ間における荷重の伝達支持が行われる。また、コンテナ段積み状態では、上段コンテナの底板の中央底部３３の四隅が、それぞれ対応する下段コンテナの四隅の保持突部（１２，２２）によって前後左右への動きを規制されることで、下段コンテナに対する上段コンテナの位置合せ（又は横ズレ防止）が達成される。
【００２７】
（比較例）
図６は本発明と対比されるべき比較例たるコンテナを示す。この比較例のコンテナは、底板３の各長辺側脚部３５の形状を除いて、図１〜図５に示す上記実施形態のコンテナと基本的に同じ構造及び寸法を持つ。比較例のコンテナの長辺側脚部３５には、実施形態のコンテナと同じく水平下端部４３が存在するが、実施形態のコンテナにおける傾斜部４０に相当する部分は形成されていない。図６（Ａ）において水平下端部４３よりも底板隅部寄り先端域に形成された傾斜部分は、本発明で言うところの「スライド操作時に当該コンテナを載せる下段コンテナの第１側板（長辺側側板１）の水平ガイド面（１１）に当接可能な傾斜部（４０）」に相当するものではなく、脚部３５前面の単なる面取りのために傾斜形成された面取り部５０に過ぎない。ちなみに、水平面（例えば水平下端部４３）に対する面取り部５０の傾斜角θ２は、４５°である。
【００２８】
図６（Ｂ）は、比較例のコンテナをスライドスタックで段積みするために下段コンテナの上に上段コンテナを仮載せした状態を示す。仮載せ時、上段コンテナの長辺側脚部３５の水平下端部４３の先端部（つまり水平下端部４３と面取り部５０との境界部分）が下段コンテナの長辺側側板１の水平ガイド面１１に当接した状態で上段コンテナが前傾姿勢をとるが、面取り部５０は水平ガイド面１１に当接しない。即ち、面取り部５０が水平ガイド面１１に当接するほど上段コンテナは前傾せず、上段コンテナの前傾量は上記実施形態の場合よりもはるかに少ない。このため、比較例のコンテナでは、下段コンテナの長辺側側板１と、上段コンテナの底板中央底部３３のスライド時進行方向前側部分との重なり代ｄ２は非常に小さく、実測によれば前記重なり代ｄ２は約３ｍｍに過ぎなかった。
【００２９】
図６に示す比較例のコンテナでは、仮載せ時における前記重なり代ｄ２が約３ｍｍに過ぎないため、上段コンテナに下段コンテナの水平ガイド面１１上をスライドさせるにしても、そのスライド操作に慎重を期さないと、上段コンテナが横ズレを起こして下段コンテナから滑り落ちる危険がある。これに対し、図１〜図５に示す上記実施形態のコンテナでは、仮載せ時における前記重なり代ｄ１が約８ｍｍと大きいため、下段コンテナの水平ガイド面１１上を上段コンテナにスライドさせる際の操作が少々乱暴であっても、上段コンテナが横ズレを起こして下段コンテナ上から滑り落ちる心配がない。このため、スライドスタック時の扱い易さや確実な段積みが可能という点で、上記実施形態のコンテナは比較例のコンテナよりも格段に優れている。
【産業上の利用可能性】
【００３０】
この明細書に開示されたスライドスタック構造は、折り畳みコンテナのみならず、蓋無し状態での段積みを想定したあらゆるタイプのコンテナに適用することができる。
【図面の簡単な説明】
【００３１】
【図１】右半分はコンテナの平面図、左半分はコンテナの底面図。
【図２】長辺側から見たコンテナの正面図。
【図３】コンテナの一隅の上端部付近を示す斜視図。
【図４】コンテナの一隅の下端部付近を示す斜視図。
【図５】実施例のコンテナを示し、（Ａ）は底板の要部拡大図、（Ｂ）はスライドスタックに際して下段コンテナに上段コンテナを仮載せした状態を示す正面図。
【図６】比較例のコンテナを示し、（Ａ）は底板の要部拡大図、（Ｂ）はスライドスタックに際して下段コンテナに上段コンテナを仮載せした状態を示す正面図。
【符号の説明】
【００３２】
１…長辺側側板（第１側板）、２…短辺側側板（第２側板）、３…底板、１１…長辺側側板の水平ガイド面、２２…短辺側側板の保持突部、３２…底板の水平下側面、３３…中央底部、３４…短辺側脚部、３５…長辺側脚部、４０…傾斜部、４１…傾斜面、４２…傾斜リブ（４１及び４２は傾斜部を構成する）、４３…水平下端部。
【図１】
2005022749.tif 000003
【図２】
2005022749.tif 000004
【図３】
2005022749.tif 000005
【図４】
2005022749.tif 000006
【図５】
2005022749.tif 000007
【図６】
2005022749.tif 000008